(57)【特許請求の範囲】
【請求項１】
本体及び回動スイッチを備え、
前記本体の一方の端部には、患者側ジョイントと、前記患者側ジョイントに連通する酸素供給ジョイントと、が設けられ、前記本体の他方の端部には、痰吸引ジョイントと、前記痰吸引ジョイントに連通する洗浄ジョイントと、が設けられ、前記本体は、前記洗浄ジョイントに連通する接続部をさらに有し、
前記回動スイッチは、前記接続部に装着されて、第１の位置と第２の位置との切換を行い、前記回動スイッチには、前記洗浄ジョイントに連通する洗浄液入口と、前記洗浄液入口及び前記痰吸引ジョイントに連通する洗浄液出口と、前記洗浄液入口の両側に対向配置される２つの痰吸引孔と、が設けられ、前記痰吸引ジョイントに近い前記痰吸引孔の周縁には、痰掻取板が設けられ、
前記回動スイッチが前記第１の位置にある場合、前記２つの痰吸引孔が前記患者側ジョイント及び前記痰吸引ジョイントに対向するため、前記患者側ジョイントと前記痰吸引ジョイントとが連通し、前記回動スイッチが前記第２の位置にある場合、前記患者側ジョイントと前記痰吸引ジョイントとの間の連通が遮断されることを特徴とする回動スイッチを有する痰吸引装置。
【請求項２】
前記接続部は、中空管状であり、前記痰吸引ジョイントと前記洗浄ジョイントと前記接続部とは、連通することを特徴とする請求項１に記載の回動スイッチを有する痰吸引装置。
【請求項３】
前記接続部の周縁には、前記回動スイッチの回動範囲を限定する切欠が形成されることを特徴とする請求項１に記載の回動スイッチを有する痰吸引装置。
【請求項４】
前記接続部の外表面には、凸縁が形成され、前記凸縁と前記切欠との間には、溝が環設され、前記溝には、密封リングが配置されることを特徴とする請求項３に記載の回動スイッチを有する痰吸引装置。
【請求項５】
前記回動スイッチは、回動蓋部と、前記回動蓋部から突出し、前記接続部内に挿入する挿入接続部と、を有することを特徴とする請求項１に記載の回動スイッチを有する痰吸引装置。
【請求項６】
前記挿入接続部の壁体上には、前記洗浄液出口に対向する通気孔が選択的に設けられることを特徴とする請求項５に記載の回動スイッチを有する痰吸引装置。
【請求項７】
前記回動蓋部には、前記回動スイッチの位置を表示する表示部材が設けられることを特徴とする請求項５に記載の回動スイッチを有する痰吸引装置。
【請求項８】
前記回動スイッチが第１の位置にある場合、前記患者側ジョイントに近い一方の前記痰吸引孔は、前記表示部材と同一直線上にあり、他方の前記痰吸引孔は、前記痰吸引ジョイントの近くに位置することを特徴とする請求項７に記載の回動スイッチを有する痰吸引装置。
【請求項９】
前記２つの痰吸引孔の内径が痰吸引管の外径と等しいため、前記痰吸引管は、前記２つの痰吸引孔に貫通された際、緊密に組み合わされることを特徴とする請求項７に記載の回動スイッチを有する痰吸引装置。
【請求項１０】
前記痰掻取板は、前記痰吸引管が貫通する貫通孔を有することを特徴とする請求項９に記載の回動スイッチを有する痰吸引装置。
【請求項１１】
前記痰吸引ジョイントに近い前記他方の痰吸引孔の両側周囲には、係合凸部がそれぞれ形成され、前記痰掻取板の表面には、前記２つの係合凸部に嵌合固定される２つの係合溝が設けられることを特徴とする請求項１０に記載の回動スイッチを有する痰吸引装置。
【発明の詳細な説明】
【技術分野】
【０００１】
本発明は、痰吸引装置に関し、特に、回動スイッチを有する痰吸引装置に関する。
【背景技術】
【０００２】
病床に横たわる患者の中には、自分で痰を排出できない患者もいる。そのような患者には、医療スタッフが痰吸引装置を使用して痰を排出する必要がある。従来の痰吸引装置は、患者の鼻口に接続される患者側ジョイントと、酸素供給源に接続される酸素供給ジョイントと、痰吸引ジョイントと、洗浄ジョイントと、を含む。使用する際、酸素供給源の酸素が酸素供給ジョイントから患者側ジョイントを経由して患者の鼻口内に供給されることにより、患者の呼吸に必要な酸素が継続して供給される。患者の痰を吸引する際は、医療スタッフが痰吸引管を痰吸引ジョイント内に貫通させ、患者側ジョイント内に挿入する。次に、負圧により、患者の鼻口内の痰を痰吸引管内に吸引する。痰吸引が完了した後、医療スタッフは、洗浄管を洗浄ジョイント内に挿入し、洗浄管から洗浄液を洗浄ジョイント内に流入し、痰吸引装置内に残留した痰を洗浄する。
【０００３】
しかし、従来の痰吸引装置には、スイッチが設けられていないものがある。スイッチが設けられていない場合、痰を吸引する過程において、一部の酸素が痰吸引管の負圧によって吸引されるため、患者に供給される酸素が減少する上、酸素が浪費されてしまう。また、洗浄過程においても、一部の酸素が洗浄液によって流出するため、患者への酸素供給量が減少し、一部の酸素が浪費されてしまう。
【０００４】
また、従来の痰吸引装置のもう１つの問題として、痰吸引が完了した後、医療スタッフが痰吸引管を痰吸引装置から引き出した際、痰吸引管の外表面に痰が残留する問題が挙げられる。痰には、病原菌が含まれるため、医療スタッフ又は清掃作業者に感染する虞がある。
【０００５】
本発明の発明者は、上述の従来の痰吸引装置における問題を解決することを目標とした。  
なお、従来の痰吸引装置としては、例えば特許文献１，２に開示されているものがある。
【先行技術文献】
【特許文献】
【０００６】
【特許文献１】特開２００８−２６４２１２号公報
【特許文献２】特開２００１−２５９０１８号公報
【発明の概要】
【発明が解決しようとする課題】
【０００７】
本発明の目的は、痰を吸引する過程において酸素が吸引されて流出するのを防止することができる上、痰吸引管の外表面上に痰が残留するのを防止することができる、回動スイッチを有する痰吸引装置を提供することにある。
【課題を解決するための手段】
【０００８】
上述の課題を解決するために、本発明の回動スイッチを有する痰吸引装置は、本体及び回動スイッチを含む。
【０００９】
本体の一方の端部には、患者側ジョイントと、患者側ジョイントに連通する酸素供給ジョイントと、が設けられる。本体の他方の端部には、痰吸引ジョイントと、痰吸引ジョイントに連通する洗浄ジョイントと、が設けられる。本体は、洗浄ジョイントに連通する接続部をさらに有する。
【００１０】
回動スイッチは、接続部に装着されて、第１の位置と第２の位置との切換を行うことができる。回動スイッチには、洗浄ジョイントに連通する洗浄液入口と、洗浄液入口及び痰吸引ジョイントに連通する洗浄液出口と、洗浄液入口の両側に対向配置される２つの痰吸引孔と、が設けられる。また、痰吸引ジョイントに近い痰吸引孔の周縁には、痰掻取板が設けられる。
【００１１】
回動スイッチが第１の位置にある場合、２つの痰吸引孔が患者側ジョイント及び痰吸引ジョイントに対向するため、患者側ジョイントと痰吸引ジョイントとが連通する。回動スイッチが第２の位置にある場合、患者側ジョイントと痰吸引ジョイントとの間の連通が遮断される。
【００１２】
回動スイッチが第１の位置にある場合、痰吸引ジョイントに近い痰吸引孔の周縁に、痰掻取板が配置された状態となっている。
【発明の効果】
【００１３】
本発明の痰吸引装置は、回動スイッチを有する。回動スイッチは、２つの互いに対向する痰吸引孔を有する。回動スイッチが第１の位置の場合、２つの痰吸引孔が患者側ジョイント及び痰吸引ジョイントに対向するため、患者側ジョイントと痰吸引ジョイントとが連通する。この際、痰吸引管を痰吸引ジョイントに貫通させ、２つの痰吸引孔を経由して患者側ジョイント内に進入させることができる。これにより、患者の痰を吸引することができる。また、２つの痰吸引孔の寸法は、痰吸引管を貫通させられる寸法しか有さないため、痰を吸引する間、酸素供給ジョイントから供給される酸素は、２つの痰吸引孔から痰吸引ジョイントに吸引されない。回動スイッチが第２の位置にある場合、２つの痰吸引孔が患者側ジョイント及び痰吸引ジョイントに対向しないため、患者側ジョイントと痰吸引ジョイントとの間の連通が遮断される。従って、この際、回動スイッチの洗浄液入口及び洗浄液出口を介し、洗浄液を痰吸引ジョイント内に注入することができる。また、酸素は、回動スイッチの外壁によって阻止されるため、痰吸引ジョイント内に進入しない。即ち、本発明は、回動スイッチにより、痰吸引過程において、酸素が吸引されて流出するのを防止することができる。
【００１４】
また、回動スイッチが第１の位置にある場合、痰吸引ジョイントに近い痰吸引孔の周縁に、痰掻取板が設けられるため、痰吸引管を２つの痰吸引孔及び痰吸引ジョイントから引き出す際、痰吸引管の外表面上に残留した痰は、痰掻取板によって掻き取られ、回動スイッチ内に留まる。これにより、痰吸引管の外表面上に痰が残留しないため、医療スタッフ又は清掃作業者に痰中の病原菌が感染するのを防止することができる。
【図面の簡単な説明】
【００１５】
【図１】本発明の一実施形態による回動スイッチを有する痰吸引装置を示す分解斜視図である。
【図２】本発明の一実施形態による回動スイッチを有する痰吸引装置を示す分解斜視図である。
【図３】本発明の一実施形態による回動スイッチを有する痰吸引装置の回動スイッチが第１の位置にある状態を示す斜視図である。
【図４】図３の断面図である。
【図５】本発明の一実施形態による回動スイッチを有する痰吸引装置の回動スイッチが第１の位置にあり、痰吸引管を接続する状態を示す分解斜視図である。
【図６】本発明の一実施形態による回動スイッチを有する痰吸引装置の回動スイッチが第１の位置にある場合の使用状態を示す断面図である。
【図７】本発明の一実施形態による回動スイッチを有する痰吸引装置の回動スイッチを第２の位置に変更した状態を示す平面図である。
【図８】図７の断面図である。
【図９】本発明の一実施形態による回動スイッチを有する痰吸引装置の回動スイッチが第２の位置にある場合の使用状態を示す断面図である。
【発明を実施するための形態】
【００１６】
本発明の目的、特徴および効果を示す実施形態を図面に沿って詳細に説明する。図面は、説明のために用いるものであり、本発明を限定するものではない。
【００１７】
図１、図２及び図５を参照する。図１、図２及び図５に示すように、本発明は、回動スイッチ２００を有する痰吸引装置１を提供するものである。痰吸引装置１は、本体１００を有する。本体１００の一方の端部（図１の上端）には、患者側ジョイント１１０が設けられる。患者側ジョイント１１０には、患者の鼻口マスクＭ（図６参照）が接続される。本体１の患者側ジョイント１１０の近く（図１の左側）には、患者側ジョイント１１０に連通する酸素供給ジョイント１２０が設けられる。酸素供給ジョイント１２０には、酸素管３００が挿入接続される。本体１００の他方の端部（図１の下端）には、痰吸引ジョイント１３０が設けられる。痰吸引ジョイント１３０には、痰容器４００の痰吸引管４１０が挿入接続される。本体１００の痰吸引ジョイント１３０の近くには、痰吸引ジョイント１３０に連通する洗浄ジョイント１４０が設けられる。洗浄ジョイント１４０には、洗浄管５００が挿入接続される。
【００１８】
痰吸引装置１の本体１００は、洗浄ジョイント１４０に連通する接続部１５０をさらに有する。接続部１５０は、中空管状である。痰吸引ジョイント１３０と洗浄ジョイント１４０と接続部１５０とは連通する。接続部１５０には、回動スイッチ２００が挿入接続される。接続部１５０の周縁には、切欠１５１が形成される。切欠１５１は、円周の約４分の１（約９０度）を占める。切欠１５１は、回動スイッチ２００の回動範囲を限定する。接続部１５０の外表面には、凸縁１５２が形成される。凸縁１５２と切欠１５１との間には、溝１５３が環設される。溝１５３には、密封リング１５４（Ｏリングなど）が配置される。回動スイッチ２００が接続部１５０に組み合わされる状態は、図６に示す。
【００１９】
回動スイッチ２００は、接続部１５０に装着される。回動スイッチ２００は、第１の位置Ｐ１と第２の位置Ｐ２との切換を行うことができる。さらに明確に述べると、回動スイッチ２００は、回動蓋部２１０と、回動蓋部２１０から突出し、接続部１５０内に挿入される挿入接続部２２０と、を含む。回動蓋部２１０の外表面には、表示部材２１１が形成される。表示部材２１１は、ユーザに回動スイッチ２００の位置を表示する。
【００２０】
図６の断面図から分かるように、挿入接続部２２０は、管状であり、内部に隔板２２１が形成される。隔板２２１は、挿入接続部２２０の内部を２つの領域に分割する。分割された挿入接続部２２０の洗浄ジョイント１４０に近い領域には、洗浄ジョイント１４０に連通する洗浄液入口２２２が形成される。また、挿入接続部２２０の外壁には、洗浄液入口２２２及び痰吸引ジョイント１３０に連通する洗浄液出口２２３と、洗浄液入口２２２の両側に配置され、互いに対向する２つの痰吸引孔２２４，２２５と、が設けられる。さらに明確に述べると、図１から分かるように、一方の痰吸引孔２２４は、表示部材２１１と同一直線上に設けられる。このため、回動スイッチ２００が図３に示すように第１の位置Ｐ１（表示部材２１１が上方の位置にある）場合、２つの痰吸引孔２２４，２２５は、上下に配置されて、患者側ジョイント１１０及び痰吸引ジョイント１３０に対向するため、患者側ジョイント１１０と痰吸引ジョイント１３０とが連通する（図４参照）。また、痰吸引孔２２４，２２５の内径は、痰吸引管４１０の外径と略同一であるため、痰吸引管４１０は、２つの痰吸引孔２２４，２２５を貫通させることができる上、緊密に組み合わされる。
【００２１】
ここで、図１から分かるように、２つの痰吸引孔２２４，２２５中の痰吸引ジョイント１３０に近い痰吸引孔２２５の周縁には、痰掻取板２２６が設けられる。痰掻取板２２６は、貫通孔２２６１を有する。この貫通孔２２６１の内径は、痰吸引管４１０の外径より若干小さい。しかし、痰掻取板２２６の材料は、可撓性を有するため、貫通孔２２６１を若干弾性変形させることにより、痰吸引管４１０を貫通させることができ、痰吸引管４１０と痰掻取板２２６とを緊密に組み合わせることができる。痰吸引管４１０を痰吸引孔２２４，２２５から抜き取る際、痰掻取板２２６が痰吸引管４１０の外表面上に残留した痰を掻き取ることができる。
【００２２】
痰掻取板２２６を交換する際の利便性を高めるために、図１に示す実施形態においては、痰掻取板２２６は、痰吸引孔２２５上に接着固定されない。痰吸引ジョイント１３０に近い痰吸引孔２２５の両側周囲には、係合凸部２２５１が形成される。また、痰掻取板２２６の表面には、２つの係合凸部２２５１に嵌合固定される２つの係合溝２２６２が設けられる。痰掻取板２２６の２つの係合溝２２６２と痰吸引孔２２５両側の係合凸部２２５１とが互いに嵌合固定されることにより、痰掻取板２２６は、痰吸引孔２２５内に着脱可能に装着される。
【００２３】
図４から分かるように、挿入接続部２２０の壁体上には、洗浄液出口２２３に対向する通気孔２２７が選択的に設けられる。通気孔２２７は、孔径が小さく、空気のみが通過でき、通気孔２２７により、洗浄作業の利便性を高めることができる。当然、通気孔２２７は、選択的に設けられるため、通気孔２２７が設けられなくても、洗浄作業を行うことができる。しかし、通気孔２２７が設けられない場合、洗浄液の水圧が高くなければ、回動スイッチ２００内に洗浄液をスムーズに送り込むことができない。
【００２４】
図５及び図６を参照する。図５及び図６に示すように、回動スイッチ２００が第１の位置Ｐ１にある場合、痰容器４００中の痰吸引管４１０を痰吸引ジョイント１３０に挿入し、回動スイッチ２００の２つの痰吸引孔２２４，２２５に貫通させ、患者側ジョイント１１０内に進入させることができる。図６の点線の矢印に示すように、酸素管３００からの酸素は、酸素供給ジョイント１２０に流入し、患者側ジョイント１１０内にスムーズに流れ、痰吸引管４１０の影響を受けない。また、痰吸引孔２２４，２２５の内径は、痰吸引管４１０の外径と略同一であるため、痰吸引管４１０が痰吸引孔２２４，２２５を貫通する際、緊密に組み合わされる。これにより、酸素が痰吸引孔２２４，２２５を通過し、痰吸引ジョイント１３０内に流入することがない。従って、痰を吸引する過程において、回動スイッチ２００により、酸素が痰吸引ジョイント１３０及び痰容器４００内に吸引されるのが防止することができるため、酸素が浪費されるのを防止することができ、患者が酸素供給量の減少を感じることがない。
【００２５】
図７〜図９を参照する。図７〜図９に示すように、回動スイッチ２００が第２の位置Ｐ２にある場合、回動スイッチ２００が９０度回転しているため、２つの痰吸引孔２２４，２２５は、回動された後、患者側ジョイント１１０及び痰吸引ジョイント１３０と一直線にならない。これにより、患者側ジョイント１１０と痰吸引ジョイント１３０との間の連通が遮断される。この際、洗浄液出口２２３と痰吸引ジョイント１３０とが連通する上、通気孔２２７が患者側ジョイント１１０に対向する。図９の上半部の太い点線の矢印に示すように、酸素管３００からの酸素は、酸素供給ジョイント１２０内に流入した後、非常にスムーズに患者側ジョイント１１０内に流入する。また、通気孔２２７の孔径が小さく、気体は抵抗力の小さい経路に流入するため、大部分の酸素は、通気孔２２７を通過できない。洗浄管５００内の洗浄液は、洗浄ジョイント１４０から回動スイッチ２００の挿入接続部２２０の洗浄液入口２２２内に流入し、洗浄液出口２２３から痰吸引管４１０内に流入し、痰容器４００内に到達する。
【００２６】
従来技術と比較し、本発明は、以下に示す効果を有する。
【００２７】
本発明の痰吸引装置１は、回動スイッチ２００を有する。回動スイッチ２００は、２つの互いに対向する痰吸引孔２２４，２２５を有する。回動スイッチ２００が第１の位置Ｐ１の場合、２つの痰吸引孔２２４，２２５が患者側ジョイント１１０及び痰吸引ジョイント１３０に対向するため、患者側ジョイント１１０と痰吸引ジョイント１３０とが連通する。この際、痰吸引管４１０を痰吸引ジョイント１３０に貫通させ、２つの痰吸引孔２２４，２２５を経由して患者側ジョイント１１０内に進入させることができる。これにより、患者の痰を吸引することができる。また、２つの痰吸引孔２２４，２２５の寸法は、痰吸引管４１０を貫通させられる寸法しか有さないため、痰を吸引する間、酸素供給ジョイント１２０から供給される酸素は、２つの痰吸引孔２２４，２２５から痰吸引ジョイント１３０に吸引されない。回動スイッチ２００が第２の位置Ｐ２にある場合、２つの痰吸引孔２２４，２２５が患者側ジョイント１１０及び痰吸引ジョイント１３０に対向しないため、患者側ジョイント１１０と痰吸引ジョイント１３０との間の連通が遮断される。従って、この際、回動スイッチ２００の洗浄液入口２２２及び洗浄液出口２２３を介し、外部から洗浄ジョイント１２０に流入する洗浄液を痰吸引ジョイント１３０内に注入することができる。また、酸素は、回動スイッチ２００の外壁によって阻止されるため、痰吸引ジョイント１３０内に進入しない。即ち、本発明は、回動スイッチ２００により、痰吸引過程において、酸素が吸引されて流出するのを防止することができる。
【００２８】
また、回動スイッチ２００が第１の位置Ｐ１にある場合、痰吸引ジョイント１３０に近い痰吸引孔２２５の周縁に、痰掻取板２２６が設けられるため、痰吸引管４１０を２つの痰吸引孔２２４，２２５及び痰吸引ジョイント１３０から引き出す際、痰吸引管４１０の外表面上に残留した痰は、痰掻取板２２６によって掻き取られ、回動スイッチ２００内に留まる。これにより、痰吸引管４１０の外表面上に痰が残留しないため、医療スタッフ又は清掃作業者に痰中の病原菌が感染するのを防止することができる。
【００２９】
上述したことから分かるように、本発明は、産業上の利用性、新規性及び進歩性を有する上、本発明の構造は、未公開であるため、特許出願要件に完全に符合する。
【符号の説明】
【００３０】
１  痰吸引装置
１００  本体
１１０  患者側ジョイント
１２０  酸素供給ジョイント
１３０  痰吸引ジョイント
１４０  洗浄ジョイント
１５０  接続部
１５１  切欠
１５２  凸縁
１５３  溝
１５４  密封リング
２００  回動スイッチ
２１０  回動蓋部
２１１  表示部材
２２０  挿入接続部
２２１  隔板
２２２  洗浄液入口
２２３  洗浄液出口
２２４  痰吸引孔
２２５  痰吸引孔
２２５１  係合凸部
２２６  痰掻取板
２２６１  貫通孔
２２６２  係合溝
２２７  通気孔
３００  酸素管
４００  痰容器
４１０  痰吸引管
５００  洗浄管
Ｍ  鼻口マスク
Ｐ１  第１の位置
Ｐ２  第２の位置
【図１】
0005463601.tif 000002
【図２】
0005463601.tif 000003
【図３】
0005463601.tif 000004
【図４】
0005463601.tif 000005
【図５】
0005463601.tif 000006
【図６】
0005463601.tif 000007
【図７】
0005463601.tif 000008
【図８】
0005463601.tif 000009
【図９】
0005463601.tif 000010